(57)【要約】【課題】電気に頼ることなく、手動で走行可能な車椅子であって、而も車輪を直接手に触れることによる衛生上の課題、更には肘の内側の衣服（袖口）が接することとを解決する。【解決手段】  介護用車椅子本体の前方で而も介護者である操作者の腰部から肩部の前方範囲内に設置された回転手動ハンドルの回転駆動力を前輪に伝達する様にし、後輪は勿論、同軸の小径操作用輪に頼ることなく手動により走行させることができることとした。【選択図】図１
2008220928.tif 000002
【特許請求の範囲】
【請求項１】
介護用車椅子本体と、この本体の前後部に装備された左右一対の前輪及び後輪と、この本体の前方で而も介護者である操作者の腰部から肩部の前方範囲内に設置された回転手動ハンドルと、この回転駆動力を前輪に伝達する伝達装置とでなしたことを特徴とする介護用人力車椅子。
【請求項２】
伝達装置を、チェーンと回転手動ハンドル及び前輪の夫々のホイルとで成したことを特徴とする請求項１記載の介護用人力車椅子。
【請求項３】
回転手動ハンドルは、前進方向の回転に対し逆転回転することによって前輪にブレーキが作用するブレーキ装置を備えたことを特徴とする請求項１〜２のいずれか１項に記載の介護用人力車椅子。
【請求項４】
回転手動ハンドルは、前進方向にのみ回転すると共に、而もその左右方向への回り込みにより生じる左右前輪回転数の相違に対応す差動装置を備えたことを特徴とする請求項１〜３のいずれか１項に記載の介護用人力車椅子。
【請求項５】
後輪軸の左右に左右後輪が独自に上下動するユニバーサルジョイントを備えたことを特徴とする請求項１記載の介護用人力車椅子。
【発明の詳細な説明】
【技術分野】
【０００１】  本発明は電源動力に頼ることなく、介護者自らが走行操作する介護用車椅子に関する。
【背景技術】
【０００２】  従来、この種電源動力に頼ることなく人力による介護用車椅子としては、両手にて介護用車椅子の左右後輪を直接回転操作させたものが存在する。
然しながら、この種のものは車輪の汚れが直接手に触れ不衛生である。
勿論、走行用後輪と同軸にその外側に小径の操作用輪を併設、上記に配慮したものも存在するが、これとても満足行くものではない。即ち、走行用車輪は大径であるから肘の内側の衣服（袖口）が接することとなる。
【発明の開示】
【発明が解決しようとする課題】
【０００４】  本発明は、走行用後輪は勿論、同軸の小径操作用輪に頼ることなく手動により走行させる。
【課題を解決するための手段】
【０００５】  以上を解決するため本発明は、介護用車椅子本体の前方で而も介護者である操作者の腰部から肩部の前方範囲内に設置された回転手動ハンドルの回転駆動力を前輪に伝達する様にし、後輪は勿論、同軸の小径操作用輪に頼ることなく手動により走行させることができる。
【発明の効果】
【０００６】（１）請求項１により、回転手動ハンドルの回転駆動力を前輪に伝達する様にしたので、後輪は勿論、同軸の小径操作用輪に接することがないから、車輪の汚れが直接手に触れることがなく極めて衛生的である。
（２）請求項３により、回転手動ハンドルは、前進方向回転に対し逆転回転すれば、直ちに回転手動ハンドルのブレーキ装置が作用し、誤ってバックすることなく、特に下り坂でのパニッツク状態に陥ることはなく、且つ簡単に車椅子を停止することも出来る。
（３）請求項４により、回り込みによる左右前輪回転数の相違はその差動装置によって対応でき、特に非力な介護者への負担を解消できる。
（４）請求項５により、後輪軸の左右に左右後輪が独自に上下動するユニバーサルジョイントによって、走行面の多少の凹凸にも対応できる。
を備えたことを特徴とする請求項１記載の介護用人力車椅子。
【発明を実施するための最良の形態】
【０００７】  以下に本発明を実施例に基づいて説明すると、図１は介護用人力車椅子を示す斜視図であって、介護用車椅子本体Ｚは、シャーシ１と座椅子２及び左右の前後輪３、４とで構成されている。又、座椅子２には健常者である介護人が手押する握り手Ｈを有する。
具体的には、シャーシ１の前部に支持腕１ａを設け、前輪軸５を包む前輪用中空軸受６を支持固定している。シャーシ１の後部に支持腕１ｂを設け、後輪軸７を包む後輪用中空軸受８を支持固定している。又、後輪７及びシャーシ１より夫々座椅子２の支持脚９を直立している。更に前輪用中空軸受６には左右前輪３の回転数の相違に対応す差動装置１０を有している。
而して、このシャーシ１は金属板にて構成されているが、勿論、金属パイプにて四辺形としてもよい。【０００８】  この差動装置１０はチエンＳのホイル１１をギャーボックス１２に連結し、前輪軸５をこのギャーボックス１２内にて二分し、夫々の分割軸５ａ、５ｂにギャー１３、１４を備え、且つ両ギャー１３、１４間に少ギャー１５、１６が介在する。従って、チエンＳの下ホイル１１の回転に伴なってギャーボックス１２が追随回転し、且つ前輪用中空軸受６内のにボス１７が回転自在に挿通している。又、ギャーボックス１２の外周に一方前輪３のスポーク１８のボス１９を固定している。
而して、夫々の分割軸５ａ、５ｂは左右の一定角度傾斜直立するフレーム２０に軸支持されている。このフレーム２０の直立は、介護者である操作者の腰部から肩部の前方範囲内であって、ボックスタイプとして内室２１とカバー２０ａとで成されている。左右直立フレーム２０の上端には回転手動ハンドル２２が夫々装備されている。この左右回転手動ハンドル２２の共通軸２３は中空軸受２４に挿通されている。更に共通軸２３には前記チエンＳの上ホイル２５が装備されている。【０００９】  従って、回転手動ハンドル２２の操作力は上ホイル２５を介して共通軸２、チエンＳ、下ホイル１１、前後輪３、４にて伝達装置Ｘを構成する。
更に中空軸受２４の中間には回転手動ハンドル２２が前進方向の回転に対し逆転回転することによって前輪にブレーキが作用する所謂、ブレーキ装置２６を有している。具体的には図４、５に示す如く、共通軸２３を外筒体２７の軸孔２８に挿通し、その内周に回転方向Ｙに対し広くなるスリット２９を複数本形成し、このスリット２９にロッド３０を夫々共通軸２３の外周に平行して沿わせ、図５に示す如く回転方向Ｙを前進とすれば、共通軸２３とロッド３０とはそのスリット２９の広い部分２９ａにて相互に抵抗なく回転する。この回転方向Ｙに対し反対方向に回転すれば、スリット２９の狭い部分２９ｂにロッド３０が移行する様に共通軸２３が作用させ、両者２３、２９の摩擦抵抗が拡大し、遂には共通軸２３が回転を阻止される。即ち車椅子にブレーキが掛かることとなる。【００１０】後輪軸７の左右にはユニバーサルジョイント３１が装備される。具体的には図３、６に示す如く、後輪軸７の左右端に一方コ字型継手３２を設け、後輪４のスポーク１８のボス３３に他方コ字型継手３４を夫々挿入固定し、両者３２、３４を自在子３５及びクロスピン３６、３７にて連結している。これにより、後輪４が走行面の多少の凹凸に対応できる。
勿論、このユニバーサルジョイント３１は前輪３側にも装備してもよい。
【作用】
【００１１】  次に本発明介護用人力車椅子の操作使用について説明すると、先ず介護者である操作者が座椅子２に着座し、手動ハンドル２２の回転操作によって、上ホイル２５の回転がチエンＳを介して下ホイル１１に伝達され、左右前輪３が前進回転する。勿論、左右何れかにカーブする場合は差動装置１０によってスムーズに行える。
また車椅子を停止させる場合は、手動ハンドル２２を上記前進回転とは反対方向に回転させれば、ブレーキ装置２６にて直ちにブレーキが掛かることとなる。
同様に、後輪４側にはユニバーサルジョイント３１が装備されているので、走行面の多少の凹凸にも対応できる。
【図面の簡単な説明】
【００１２】
【図１】本発明介護用人力車椅子を示す斜視図
【図２】前輪側の拡大断面図
【図３】後輪側の拡大断面図
【図４】バンド側の拡大断面図
【図５】ブレーキ装置の拡大断面図
【図６】ユニバーサルジョイントの分解斜視図
【符号の説明】
Ｚ    介護用車椅子本体
Ｘ    伝達装置
３    前輪
４    後輪
１０  差動装置
２２  回転手動ハンドル
２６  ブレーキ装置
３１  ユニバーサルジョイント
【図１】
2008220928.tif 000003
【図２】
2008220928.tif 000004
【図３】
2008220928.tif 000005
【図４】
2008220928.tif 000006
【図５】
2008220928.tif 000007
【図６】
2008220928.tif 000008